(57)【特許請求の範囲】
【請求項１】
珪藻土および結合材を含んでなり、かつ、人が手で触る操作部の表面領域の１／２以上は前記珪藻土が露出してなるドア用取手。
【請求項２】
表面領域を構成する金属または樹脂の領域と、珪藻土および結合材を含む領域とが一体型に形成されてなるドア用取手。
【請求項３】
金属または樹脂の心材と、前記心材を覆う珪藻土および結合材を含む被覆部とが一体型に形成されてなるドア用取手。
【発明の詳細な説明】
【技術分野】
【０００１】
本発明は、珪藻土を利用したドア用取手に関する。
【背景技術】
【０００２】
洗面所などの水で手を洗う空間の内側のドア用取手や蛇口ハンドルなどの部材がある。
この部材は部材全体が金属製や樹脂製であり防水性や撥水性を備えていることが通常である。
なお、ドア用取手の形状としては、レバータイプや握り玉等のドアノブ、棒状のもの、単なる板状のものをドア本体に取り付けたものなど種々の形が知られている。
【０００３】
また、吸水性を有する珪藻土を製品の材料として活用した、バスマット、コースター、フードコンテナ、歯ブラシ立て、傘立てなどが知られている。
【０００４】
ここで、関連技術として、ＲＮＡウイルス感染阻止塗料用組成物の技術が開示されている（特許文献１参照）。
【先行技術文献】
【特許文献】
【０００５】
【特許文献１】特開２０１１−１３６９７７号公報
【発明の概要】
【発明が解決しようとする課題】
【０００６】
しかし、ドア用取手や蛇口ハンドルなどは防水性や撥水性により水を寄せ付けない作用であり、濡れた手で触った後、時間が僅かしか経過していないと、蒸発するまでの時間がなく、ドア用取手や蛇口ハンドルなどに水が残った状態のままとなる。そして、ドア用取手や蛇口ハンドルなどは本来の機能面から手で操作することが必要であり水が残った濡れた状態のままに放置しておくと必然的に次の人が手で触ることとなり、衛生的な面も含めて気持ちのよいものではない。
なお、従来のドア用取手や蛇口ハンドルなどは防水性や撥水性により水を寄せ付けない作用であり、本来的に吸水目的のバスマットなどとは異なるものである。また、物品本来の機能を果たすために次の人が直接手を触れることが必須ではなく、水の付着・吸収は主として内面側である歯ブラシ立て、傘立てなどとも異なるものである。従って、珪藻土を活用したバスマットなどの公知技術を他の先行文献などと組み合わせることにはいわゆる阻害要因がある。
【０００７】
本発明の目的は、手で触ったときに水などにより濡れていて不快な思いをすることがない衛生的なドア用取手を提供することにある。
【課題を解決するための手段】
【０００８】
本発明の第１のドア用取手は、珪藻土および結合材を含んでなり、かつ、人が手で触る操作部の表面領域の１／２以上は前記珪藻土が露出してなるドア用取手。
【０００９】
このように構成することにより、ドア用取手を使用する際に人の手が触れる可能性の高い領域の大部分を珪藻土により構成することとなり、珪藻土の吸水性によりドア用取手の表面に付着した水等を速やかに吸収して、表面に留まらせないため、次の人がドア用取手を使用するタイミングではドア用取手が濡れていて気持ち悪い、といった状態を回避することができる。
また、珪藻土の吸水性によりドア用取手の表面に付着した水等を速やかに吸収して、表面に留まらせないため、雑菌の繁殖を抑制することとなり、衛生的なドア用取手を実現することができる。
【００１０】
本発明の第２のドア用取手は、表面領域を構成する金属または樹脂の領域と、珪藻土および結合材を含む領域とが一体型に形成されてなる。
【００１１】
このように構成することにより、ドア用取手を使用する際に人の手が触れる可能性の高い領域を珪藻土および結合材を含んで構成して、珪藻土の吸水性によりドア用取手の表面に付着した水等を速やかに吸収して、表面に留まらせないため、次の人がドア用取手を使用するタイミングではドア用取手が濡れていて気持ち悪い、といった状態を回避することができるとともに、ドア用取手を使用する際に人の手が触れる可能性の低い領域を従来どおり、防水性や撥水性を有する金属や樹脂で構成して、強度や加工の容易性や、材質の選択の幅を広げ、製造コストの低減やデザイン性を高めることができる。
また、珪藻土の吸水性によりドア用取手の表面に付着した水等を速やかに吸収して、表面に留まらせないため、雑菌の繁殖を抑制することとなり、衛生的なドア用取手を実現することができる。
【００１２】
本発明の第３のドア用取手は、金属または樹脂の心材と、前記心材を覆う珪藻土および結合材を含む被覆部とが一体型に形成されてなる。
【００１３】
このように構成することにより、ドア用取手を使用する際に人の手が触れる可能性の高い領域を珪藻土および結合材を含んで構成して、珪藻土の吸水性によりドア用取手の表面に付着した水等を速やかに吸収して、表面に留まらせないため、次の人がドア用取手を使用するタイミングではドア用取手が濡れていて気持ち悪い、といった状態を回避することができるとともに、ドア用取手の心材として金属や樹脂のもので構成して、強度や加工の容易性を高めることができる。
また、珪藻土の吸水性によりドア用取手の表面に付着した水等を速やかに吸収して、表面に留まらせないため、雑菌の繁殖を抑制することとなり、衛生的なドア用取手を実現することができる。
【発明の効果】
【００１４】
本発明によれば、手で触ったときに水などにより濡れていて不快な思いをすることがない衛生的なドア用取手を提供することができる。
【図面の簡単な説明】
【００１５】
【図１】本発明の第１の実施の形態におけるドア用取手の斜視図である。
【図２】本発明の第１の実施の形態におけるドア用取手の他の形状を示す図である。
【図３】本発明の第２の実施の形態における蛇口ハンドルの斜視図である。
【発明を実施するための形態】
【００１６】
以下、本発明の第１の実施の形態を図面を参照しつつ説明する。
【００１７】
図１を参照して、本実施の形態におけるドア用取手１の構成を説明する。
本実施形態のドア用取手１はコンビニエンスストアなどの洗面所空間の内側のドアノブである。洗面所空間にはトイレと、手洗い場等が設けられている。
なお、洗面所空間の外側のドアノブも本実施形態のドア用取手１で実現されてもよいが、外側は、手を洗って濡れた状態で触ることが想定されないため、従来の金属製や樹脂製のドアノブでも問題はない。
【００１８】
図１（ａ）に示すように、ドア用取手１は、略Ｌ字状のレバータイプのドアノブであり、幅寸法が約２ｃｍ、人が手で触れる操作部２の長さ寸法が約１０ｃｍ、支持部３（操作部２と取付部４との中間の部材）の奥行き寸法が約３ｃｍ、ドア本体への取付部４の径が約５ｃｍである。
ドア用取手１の材質は全体が珪藻土を主としてなる。すなわち、珪藻土に、珪藻土を固めるための樹脂系の結合材等やその他の成分を添加してなる。なお、強度を増すためにパルプ材等を混ぜることであってもよい。使用する際に人の手が触れる可能性の高い領域の大部分を珪藻土から構成するために少なくとも操作部２の表面領域の１／２以上が珪藻土を主としてなる構成が好ましい。
しばらくは濡れた部分の跡が残るため、その箇所を隠すために、ドア用取手１に色や模様が付加されることであってもよい。
ドア用取手１は、周知のねじ等によりドア本体に取り付けられている。
【００１９】
ドア用取手１を使用する際に人の手が触れる可能性の高い領域の大部分を珪藻土を主として構成することとなり、珪藻土の吸水性によりドア用取手１の表面に付着した水等を速やかに吸収して、表面に留まらせないため、次の人がドア用取手１を使用するタイミングではドア用取手１が濡れていて気持ち悪い、といった状態を回避することができる。すなわち、次の人や同一人物が次回にドア用取手１を使用する際に、従来の防水性や揮発性の素材では自然乾燥するまでの十分な時間があるときは濡れていて気持ち悪いという問題は生じないが、すぐに、次の使用タイミングがきてしまう場合には、対応できなかったところ、表面領域の速乾性を実現する珪藻土を用いることでそのような不都合を回避することができることとなった。
また、珪藻土の吸水性によりドア用取手１の表面に付着した水等を速やかに吸収して、表面に留まらせないため、雑菌の繁殖を抑制することとなり、衛生的なドア用取手１を実現することができる。
【００２０】
また、図１（ｂ）に例示するように、ドア用取手１は、操作部２の先端部分や支持部３等が金属製または樹脂製であり、操作部２の中央部分が珪藻土を主とする構成として、複数の異なる材質からなる構成であってもよい。このようにすると、ドア用取手１は、表面領域が金属または樹脂の領域と珪藻土を主とする領域とからなる。
既存の金属製または樹脂製のドア用取手の型枠を利用して製造することが可能となる。さらに、既存の金属製または樹脂製のドア用取手に珪藻土を主とするシート部材などを巻き付け、貼り付け或いは埋め込むこと等で実現されてもよい。
ドア用取手１を使用する際に人の手が触れる可能性の高い領域を珪藻土を主として構成して、珪藻土の吸水性によりドア用取手の表面に付着した水等を速やかに吸収して、表面に留まらせないため、次の人がドア用取手１を使用するタイミングではドア用取手１が濡れていて気持ち悪い、といった状態を回避することができるとともに、ドア用取手１を使用する際に人の手が触れる可能性の低い領域を従来どおり、防水性や撥水性を有する金属や樹脂で構成して、強度や加工の容易性や、材質の選択の幅を広げ、製造コストの低減やデザイン性を高めることができる。
【００２１】
また、図１（ｃ）に例示するように、ドア用取手１は、金属製または樹脂製の心材５と、心材５を覆う珪藻土を主とする被覆部とから構成であってもよい。心材５は、棒状であっても、網状等であってもよい。
既存の金属製または樹脂製のドア用取手に珪藻土を主とするシート部材などを巻き付けること等で実現されてもよい。
ドア用取手１を使用する際に人の手が触れる可能性の高い領域を珪藻土を主として構成して、珪藻土の吸水性によりドア用取手１の表面に付着した水等を速やかに吸収して、表面に留まらせないため、次の人がドア用取手１を使用するタイミングではドア用取手１が濡れていて気持ち悪い、といった状態を回避することができるとともに、ドア用取手１の心材として金属製や樹脂製のもので構成して、強度や加工の容易性を高めることができる。
なお、上記の図１（ｂ）の態様と組み合わされてもよい。
【００２２】
図２に、本実施の形態におけるドア用取手１の形状の種々の変形例を示す。図２に示すものに限定されず、ドア用取手１の形状自体は公知の種々の形状が適用されてよい。
【００２３】
以下、本発明の第２の実施の形態を図３を参照しつつ説明する。基本的な原理・変形例は上記の第１の実施の形態と同様である。
本実施形態の蛇口ハンドル１１はコンビニエンスストアなどの手洗い場に設けられている蛇口のハンドルである。
【００２４】
蛇口ハンドル１１は、レバータイプの蛇口ハンドルであり、幅寸法が約２ｃｍ、人が手で触れる操作部１２の長さ寸法が約１０ｃｍ、支持部１３の厚み寸法が約２ｃｍ、径が約３ｃｍである。
蛇口ハンドル１１の材質は全体が珪藻土を主としてなる。すなわち、珪藻土に、珪藻土を固めるためのセメントや樹脂系の結合材やその他の成分を添加してなる。なお、強度を増すためにパルプ材等を混ぜることであってもよい。使用する際に人の手が触れる可能性の高い領域の大部分を珪藻土を主として構成するために少なくとも操作部１２の表面領域の１／２以上が珪藻土を主としてなる構成が好ましい。
しばらくは濡れた部分の跡が残るため、その箇所を隠すために、蛇口ハンドル１１に色や模様が付加されることであってもよい。
【００２５】
蛇口ハンドル１１を使用する際に人の手が触れる可能性の高い領域の大部分を珪藻土を主として構成することとなり、珪藻土の吸水性により蛇口ハンドル１１の表面に付着した水等を速やかに吸収して、表面に留まらせないため、次の人が蛇口ハンドル１１を使用するタイミングでは蛇口ハンドル１０が濡れていて気持ち悪い、といった状態を回避することができる。すなわち、次の人や同一人物が次回に蛇口ハンドル１１を使用する際に、従来の防水性や揮発性の素材では自然乾燥するまでの十分な時間があるときは濡れていて気持ち悪いという問題は生じないが、すぐに、次の使用タイミングがきてしまう場合には、対応できなかったところ、表面領域の速乾性を実現する珪藻土を用いることでそのような不都合を回避することができることとなった。
また、珪藻土の吸水性により蛇口ハンドル１１の表面に付着した水等を速やかに吸収して、表面に留まらせないため、雑菌の繁殖を抑制することとなり、衛生的な蛇口ハンドル１１を実現することができる。
【００２６】
また、蛇口ハンドル１１は、操作部１２の先端部分や支持部１３等が金属製または樹脂製であり、操作部１２の中央部分が珪藻土を主とする構成として、複数の異なる材質からなる構成であってもよい。このようにすると、蛇口ハンドル１１は、表面領域が金属または樹脂の領域と珪藻土を主とする領域とからなる。
既存の金属製または樹脂製の蛇口ハンドルの型枠を利用して製造することが可能となる。さらに、既存の金属製または樹脂製の蛇口ハンドルに珪藻土を主とするシート部材などを巻き付け、貼り付け或いは埋め込むこと等で実現されてもよい。
蛇口ハンドル１１を使用する際に人の手が触れる可能性の高い領域を珪藻土を主として構成して、珪藻土の吸水性により蛇口ハンドル１１の表面に付着した水等を速やかに吸収して、表面に留まらせないため、次の人が蛇口ハンドル１１を使用するタイミングでは蛇口ハンドル１１が濡れていて気持ち悪い、といった状態を回避することができるとともに、蛇口ハンドル１１を使用する際に人の手が触れる可能性の低い領域を従来どおり、防水性や撥水性を有する金属や樹脂で構成して、強度や加工の容易性や、材質の選択の幅を広げ、製造コストの低減やデザイン性を高めることができる。
【００２７】
また、蛇口ハンドル１１は、金属製または樹脂製の心材と、心材を覆う珪藻土を主とする被覆部とから構成であってもよい。心材は、棒状であっても、網状等であってもよい。
既存の金属製または樹脂製の蛇口ハンドルに珪藻土を主とするシート部材などを巻き付けること等で実現されてもよい。
蛇口ハンドル１１を使用する際に人の手が触れる可能性の高い領域を珪藻土を主として構成して、珪藻土の吸水性により蛇口ハンドル１１の表面に付着した水等を速やかに吸収して、表面に留まらせないため、次の人が蛇口ハンドル１１を使用するタイミングでは蛇口ハンドル１１が濡れていて気持ち悪い、といった状態を回避することができるとともに、蛇口ハンドル１１の心材として金属製や樹脂製のもので構成して、強度や加工の容易性を高めることができる。
【００２８】
なお、蛇口ハンドル１１の形状自体は公知の種々の形状が適用されてよい。
【００２９】
また、本発明は、プールや公衆浴場のロッカーの取手などの使用者が濡れた手で触って操作するために水等が付着し、濡れたままだと次の使用者が不快な思いをするため、従来は撥水性や防水性等で対応していたような、操作部に広く適用可能である。
【００３０】
また、上記各実施の形態では、材質として珪藻土を中心に説明したが、多孔質セラミックス、多孔質シリカ、ゼオライト、多孔質ガラス等の多孔質であり吸水性・吸湿性を有する素材が珪藻土の代わりに、また珪藻土と併用して用いられる場合も、本発明の範囲内である。
【００３１】
その他、一々例示はしないが、本発明は、その趣旨を逸脱しない範囲内において、種々の変更が加えられて実施されてよい。例えば、形状、配置、色、模様等には本発明の効果を奏する場合には限定はない。
【符号の説明】
【００３２】
１      ドア用取手
２      操作部
３      支持部
４      取付部
５      心材
１１    蛇口ハンドル
１２    操作部
１３    支持部
【要約】
【課題】手で触ったときに水などにより濡れていて不快な思いをすることがない衛生的なドア用取手を提供すること。
【解決手段】人が手で触る操作部の表面領域の１／２以上が珪藻土を主としてなるドア用取手。
【選択図】図１【図１】
0005943452.tif 000002
【図２】
0005943452.tif 000003
【図３】
0005943452.tif 000004